(57)【特許請求の範囲】
【請求項１】
昇降機の運転モードがメンテナンスモードであるか否かを判定する判定部と、
前記昇降機を特定する現場情報、一時的に有効な識別情報及び前記昇降機の運転モードがメンテナンスモードである間に行われた前記昇降機の動作に基づく作業内容情報を格納したバーコードシンボルを生成する情報生成部と、
前記判定部により前記昇降機の運転モードがメンテナンスモードでなくなったと判定された際に、前記情報生成部により生成されたバーコードシンボルを前記昇降機に設けられた表示部に表示させる表示制御部と、
を備えた保守用機器。
【請求項２】
前記情報生成部は、予め設定された一定期間ごとに前記識別情報を更新する請求項１に記載の保守用機器。
【請求項３】
前記昇降機は、エレベーターであり、
前記表示部は、エレベーターのかごに設けられた保守用ディスプレイである請求項１又は２に記載の保守用機器。
【請求項４】
請求項１に記載の保守用機器と、
前記情報生成部により生成されたバーコードシンボルを読み取ることで当該バーコードシンボルに格納されている情報を取得する保守用端末と、
前記保守用端末が取得した前記識別情報を照合する情報センターと、
を備えた保守用システム。
【請求項５】
前記情報センターは、予め設定された一定期間ごとに、更新された前記識別情報を前記情報生成部に送信し、
前記情報生成部は、前記情報センターから受信した前記識別情報のうち最も新しいものを格納したバーコードシンボルを生成する請求項４に記載の保守用システム。
【請求項６】
前記保守用端末は、前記情報生成部により生成されたバーコードシンボルを読み取ることで取得した情報のうち前記作業内容情報を編集する機能を有する請求項４又は５に記載の保守用システム。
【請求項７】
前記昇降機は、エレベーターであり、
前記表示部は、エレベーターのかごに設けられた保守用ディスプレイである請求項４から６のいずれか１項に記載の保守用システム。
【発明の詳細な説明】
【技術分野】
【０００１】
本発明は、昇降機の保守用機器及び保守用システムに関するものである。
【背景技術】
【０００２】
下記特許文献１には、昇降機の機械室に設けられた識別体と、識別体の識別情報及び識別情報の読取日時を含む情報をサーバーに送信する携帯端末と、を備えたシステムが記載されている。
【先行技術文献】
【特許文献】
【０００３】
【特許文献１】特開２０１５−２０８３６号公報
【発明の概要】
【発明が解決しようとする課題】
【０００４】
特許文献１に記載のシステムによれば、携帯端末からサーバーに送信された読取日時に昇降機の保守作業が実施されたと判断し得る。しかしながら、例えば、サーバーに送信される情報が改ざんされた場合、実際に保守作業が実施されたかどうかを証明できない。
【０００５】
本発明は、上記の課題を解決するためになされた。その目的は、昇降機の保守作業が実施されたことを証明できる保守用機器及び保守用システムを提供することである。
【課題を解決するための手段】
【０００６】
本発明に係る保守用機器は、昇降機の運転モードがメンテナンスモードであるか否かを判定する判定部と、昇降機を特定する現場情報、一時的に有効な識別情報及び前記昇降機の運転モードがメンテナンスモードである間に行われた前記昇降機の動作に基づく作業内容情報を格納したバーコードシンボルを生成する情報生成部と、判定部により昇降機の運転モードがメンテナンスモードでなくなったと判定された際に、情報生成部により生成されたバーコードシンボルを昇降機に設けられた表示部に表示させる表示制御部と、を備えたものである。
【０００７】
本発明に係る保守用システムは、上記保守用機器と、情報生成部により生成されたバーコードシンボルを読み取ることで当該バーコードシンボルに格納されている情報を取得する保守用端末と、保守用端末が取得した識別情報を照合する情報センターと、を備えたものである。
【発明の効果】
【０００８】
本発明に係る保守用機器において、表示制御部は、昇降機の運転モードがメンテナンスモードでなくなったと判定された際に、情報生成部により生成されたバーコードシンボルを昇降機に設けられた表示部に表示させる。このため、本発明によれば、昇降機の保守作業が実施されたことを証明することができる。
【図面の簡単な説明】
【０００９】
【図１】本発明の実施の形態１における保守用システムの一例を示す構成図である。
【図２】本発明の実施の形態１における制御装置及び表示部の一例を示す構成図である。
【図３】本発明の実施の形態１における保守用端末の一例を示す模式図である。
【図４】本発明の実施の形態１における保守用機器の動作例を示すフローチャートである。
【発明を実施するための形態】
【００１０】
添付の図面を参照して、本発明を詳細に説明する。各図では、同一又は相当する部分に同一の符号を付している。重複する説明は、適宜簡略化あるいは省略する。
【００１１】
実施の形態１．
図１は、実施の形態１における保守用システムの一例を示す構成図である。図１は、一例として、昇降機の保守用システムがエレベーターに適用された場合を示している。
【００１２】
図１に示すように、エレベーターは、かご１、釣合おもり２、巻上機３及びロープ４を備えている。かご１及び釣合おもり２は、図示しない建物に設けられた昇降路５の内部に位置している。巻上機３は、例えば、図示しない機械室等に設けられている。ロープ４は、巻上機３に巻き掛けられている。かご１及び釣合おもり２は、ロープ４によって吊り下げられている。かご１及び釣合おもり２は、巻上機３が駆動することにより昇降する。かご１の内部には、表示部６が設けられている。表示部６は、例えば、かご内の操作盤に設けられた液晶ディスプレイ等である。
【００１３】
図１に示すように、保守用システムは、制御装置７、保守用端末８及び情報センター９を備えている。制御装置７は、例えば、エレベーターを備えた建物内に設けられている。制御装置７は、例えば、エレベーターごとに設けられている。制御装置７は、巻上機３及び表示部６等と電気的に接続されている。保守用端末８は、例えば、エレベーターの保守作業者が携帯する機器である。保守用端末８は、例えば、スマートフォン、ノートパソコン又はタブレット端末等である。保守用端末８は、例えば、通信機能及びカメラ機能を有している。情報センター９は、例えば、制御装置７が設けられた建物とは別の建物に設けられている。情報センター９は、例えば、エレベーターの管理会社に設けられた管理サーバー等である。
【００１４】
保守用端末８は、制御装置７及び情報センター９と通信可能である。情報センター９は、制御装置７と通信可能である。保守用端末８と制御装置７との通信は、有線通信であっても無線通信であってもよい。保守用端末８と情報センター９との通信は、有線通信であっても無線通信であってもよい。情報センター９と制御装置７との通信は、有線通信であっても無線通信であってもよい。
【００１５】
図２は、実施の形態１における制御装置及び表示部の一例を示す構成図である。図２は、表示部６が複数の機器で構成された場合の例を示している。図２は、制御装置７が複数の機器で構成された場合の例を示している。
【００１６】
図２に示すように、表示部６は、製品ディスプレイ１０及び保守用ディスプレイ１１を備えている。製品ディスプレイ１０は、例えば、かご１が位置する階数及びかご１の移動方向等を表示するために用いられる。保守用ディスプレイ１１は、例えば、かご１に設けられた図示しない防犯カメラの映像等を表示するために用いられる。
【００１７】
図２に示すように、制御装置７は、制御盤１２及び保守用機器１３を備えている。保守用機器１３は、判定部１４、保守動作状態記憶部１５、情報生成部１６及び表示制御部１７を備えている。制御盤１２は、製品ディスプレイ１０及び巻上機３等と電気的に接続されている。保守用機器１３は、制御盤１２及び保守用ディスプレイ１１と電気的に接続されている。保守用端末８は、少なくとも保守用機器１３と通信可能である。保守用端末８は、制御盤１２とも通信可能であってもよい。
【００１８】
エレベーターの運転モードには、通常モード及びメンテナンスモードが含まれる。メンテナンスモードへの切り替えは、例えば、図示しないメンテナンススイッチをＯＮ状態にすることで行われる。メンテナンススイッチは、例えば、制御盤１２又は保守用機器１３に設けられる。メンテナンスモードへの切り替えは、例えば、保守用機器１３と接続された保守用端末８を操作することで行われてもよい。制御装置７は、運転モードがメンテナンスモードである場合は、通常であれば異常と判定されるエレベーターの動作が検出されても、異常を示す発報を行わない。つまり、運転モードがメンテナンスモードに切り替えられると、異常を示す情報センター９への発報が抑制される。
【００１９】
制御盤１２は、エレベーターの巻上機３及び製品ディスプレイ１０等を動作させる。つまり、制御盤１２は、エレベーターの動作を制御する。
【００２０】
保守作業者は、保守作業開始時に、例えば、上述したメンテナンススイッチの切り替え操作により運転モードをメンテナンスモードに切り替える。保守作業者は、例えば、図示しない保守運転用スイッチを制御盤１２に接続し、保守運転用スイッチを操作して制御盤１２を制御することで巻上機３等を動作させ、各種の保守作業を実施する。また、保守作業者は、例えば、保守用端末８を保守用機器１３に接続し、保守用端末８を操作して制御盤１２を制御することで巻上機３等を動作させ、各種の保守作業を実施する。また、保守作業者は、例えば、かご１の中に設けられた図示しない保守運転用スイッチ又はかご１の上部に設けられた図示しない保守運転用スイッチを操作して制御盤１２を制御することで巻上機３等を動作させ、各種の保守作業を実施する。判定部１４は、エレベーターの運転モードがメンテナンスモードであるか否かの判定を行う。保守動作状態記憶部１５は、運転モードがメンテナンスモードに切り替わった後の制御盤１２の動作状態を作業内容情報として記憶する。
【００２１】
情報生成部１６は、保守履歴情報を格納したバーコードシンボルを生成する。情報生成部１６により生成されるバーコードシンボルには、一次元バーコード及び二次元コードが含まれる。実施の形態１において、情報生成部１６により生成されるバーコードシンボルは、例えば、ＱＲコード（登録商標）等の二次元コードである。保守履歴情報は、例えば、現場情報、一時的に有効な識別情報及び作業内容情報を含んでいる。
【００２２】
現場情報とは、制御盤１２によって動作が制御されるエレベーターを特定する情報である。現場情報としては、例えば、アクセスナンバー又はシリアルナンバー等が用いられる。アクセスナンバーは、エレベーターが設置されている建物を示す建物番号と当該建物における当該エレベーターの号機番号とを組み合わせたものである。シリアルナンバーは、制御盤１２が有する固有の製造番号である。
【００２３】
一時的に有効な識別情報とは、例えば、予め設定された一定期間ごとに更新されるＩＤコード又は暗号鍵等である。予め設定された一定期間は、例えば、１ヶ月又は３ヶ月等である。予め設定された一定期間は、例えば、エレベーターの保守作業の実施予定日の間隔に合わせて設定されてもよい。一時的に有効な識別情報は、例えば、更新日又は更新日の属する月を示す情報を含んでいてもよい。実施の形態１において、一時的に有効な識別情報は、情報センター９又は情報生成部１６によって生成されるＩＤコードである。ＩＤコードは、例えば、英数字及び記号をランダムに組み合わせたものであり、推測することが困難な文字配列である。
【００２４】
ＩＤコードが情報センター９によって生成される場合、情報センター９は、予め設定された一定期間ごとに、更新されたＩＤコードを保守用機器１３に送信する。この場合、情報生成部１６は、例えば、情報センター９から新しいＩＤコードを受信するまで保持していた古いＩＤコードを破棄する。また、情報生成部１６は、例えば、古いＩＤコードを破棄せず使用しないようにする処理を行ってもよい。情報生成部１６は、古いＩＤコードの取り扱いに関係なく、情報センター９から受信したＩＤコードのうち最も新しいものを格納したバーコードシンボルを生成する。
【００２５】
ＩＤコードが情報生成部１６によって生成される場合、情報生成部１６は、予め設定された一定期間ごとにＩＤコードを更新する。この場合、情報生成部１６は、例えば、新しいＩＤコードを生成するまで保持していた古いＩＤコードを破棄する。また、情報生成部１６は、例えば、古いＩＤコードを破棄せず使用しないようにする処理を行ってもよい。情報生成部１６は、古いＩＤコードの取り扱いに関係なく、生成したＩＤコードのうち最も新しいものを格納したバーコードシンボルを生成する。
【００２６】
作業内容情報とは、運転モードがメンテナンスモードである間に保守作業者が行った保守作業によるエレベーターの動作に基づく情報である。つまり、作業内容情報は、保守作業中に保守動作状態記憶部１５に記憶された制御盤１２の動作状態に基づいて情報生成部１６が推定する保守作業の内容を示す。保守動作状態記憶部１５に記憶される制御盤１２の動作状態の記録は、具体的には、電源遮断、電源投入、手動モードによるかごの昇降、戸開閉及び保守用特殊モードへの遷移等を示すものである。保守用特殊モードとは、例えば、インジケータ点検モード等である。作業内容情報には、例えば、推定された保守作業ごとの作業時間が含まれる。保守作業の内容を推定するための基準は、予め設定されている。情報生成部１６は、例えば、エレベーターの電源が遮断された状態が３０分以上継続する記録に基づいて、ブレーキ点検が実施されたと推定する。
【００２７】
表示制御部１７は、保守用ディスプレイ１１の動作を制御する。表示制御部１７は、判定部１４によりエレベーターの運転モードがメンテナンスモードでなくなったと判定された際に、情報生成部１６により生成されたバーコードシンボルを保守用ディスプレイ１１に表示させる。表示制御部１７は、例えば、バーコードシンボルの生成が完了し次第、当該バーコードシンボルの表示を開始させる。表示制御部１７は、例えば、バーコードシンボルの表示が開始されてから予め設定された一定時間が経過すると、バーコードシンボルの表示を終了させる。バーコードシンボルが表示される一定時間は、例えば、１分から３分程度である。表示制御部１７は、バーコードシンボルが表示される一定時間が経過する前であっても、例えば、保守用機器１３又は保守用機器１３に接続された保守用端末８等に対する操作に基づいてバーコードシンボルの表示を終了させてもよい。
【００２８】
保守用端末８は、カメラ機能等を利用してバーコードシンボルを読み取るコード読取機能を有している。保守用端末８は、情報生成部１６により生成されたバーコードシンボルを読み取ることで、当該バーコードシンボルに格納されている保守履歴情報を取得することが可能である。保守作業者は、エレベーターの運転モードをメンテナンスモードから通常モードに切り替えた後に、保守用ディスプレイ１１に表示されたバーコードシンボルを読み取らせることで、保守用端末８に保守履歴情報を取得させる。
【００２９】
図３は、実施の形態１における保守用端末の一例を示す模式図である。図３は、保守用端末８であるスマートフォンで保守用ディスプレイ１１に表示されたバーコードシンボルを読み取った状態の例を示している。
【００３０】
図３に示すように、保守用端末８は、液晶等で形成された表示画面８ａを有している。保守用端末８は、バーコードシンボルから取得した情報を表示画面８ａに表示する。表示画面８ａに表示される情報は、例えば、文字及び画像の少なくとも一方で表される。図３に示す例では、現場情報として、「１２３４５６７−００１」というアクセスナンバーが表示画面８ａに表示されている。また、作業内容情報として、推定された保守作業及び保守作業ごとの作業時間を示す情報が表示されている。ただし、ＩＤコードに相当する情報は、表示画面８ａに表示されていない。つまり、保守用端末８は、バーコードシンボルから取得した保守履歴情報のうち、現場情報及び作業内容情報を表示画面８ａに表示させ、一時的に有効な識別情報を表示画面８ａに表示させない。保守作業者は、表示画面８ａに表示された現場情報及び作業内容情報を確認する。
【００３１】
保守用端末８は、バーコードシンボルから取得した保守履歴情報のうち作業内容情報を編集する機能を有する。保守作業者は、保守用端末８を操作することで、作業内容情報を編集することが可能である。保守作業者は、例えば、推定された保守作業のうち実際に実施された作業とは異なるものを修正する。保守用端末８は、作業内容情報のどの部分が修正されたかを記憶する。なお、保守用端末８は、バーコードシンボルから取得した保守履歴情報のうち作業内容情報でないものを編集する機能を有しない。
【００３２】
保守作業者は、保守作業を終了した後に、保守用端末８を情報センター９と通信させる。保守用端末８は、保守用ディスプレイ１１に表示されたバーコードシンボルから取得した保守履歴情報を情報センター９に送信する。これにより、保守作業の対象となる現場への訪問履歴及び作業内容が情報センター９に登録される。
【００３３】
情報センター９は、保守履歴情報に含まれるＩＤコードの照合を行う。ＩＤコードの照合とは、例えば、当該ＩＤコードが情報センター９によって生成され保守用機器１３に送信されたものと一致するか否かを判定することである。また、ＩＤコードの照合とは、例えば、当該ＩＤコードが情報生成部１６により生成されたものであるか否かを判定することである。情報センター９は、例えば、ＩＤコードの照合結果を当該ＩＤコードが含まれる保守履歴情報に関連付けて記憶する。ＩＤコードの照合結果は、当該ＩＤコードが正規のものである場合、例えば、当該ＩＤコードが最新のものであるか否かを示す情報、当該ＩＤコードが生成された日若しくは月を示す情報及び当該ＩＤコードが情報センター９から送信された日若しくは月を示す情報等を含んでいてもよい。
【００３４】
図４は、実施の形態１における保守用機器の動作例を示すフローチャートである。
【００３５】
メンテナンスモードが開始されると（ステップＳ１０１）、保守動作状態記憶部１５は、エレベーターの動作を記録開始する（ステップＳ１０２）。保守動作状態記憶部１５は、メンテナンスモードの間のエレベーターの動作を一時保存する（ステップＳ１０３）。判定部１４は、メンテナンスモードが終了したか否かを判定する（ステップＳ１０４）。ステップＳ１０４でメンテナンスモードが終了していないと判定された場合、保守動作状態記憶部１５は、ステップＳ１０３の処理を繰り返す。
【００３６】
ステップＳ１０４でメンテナンスモードが終了したと判定された場合、情報生成部１６は、保守動作状態記憶部１５に一時保存された動作記録データから作業内容を推定することで（ステップＳ１０５）、作業内容情報を生成する。情報生成部１６は、作業内容情報に対して、現場情報及びＩＤコードを付加する（ステップＳ１０６，Ｓ１０７）。これにより、ステップＳ１０７において、保守履歴情報が生成される。情報生成部１６は、生成された保守履歴情報を符号化することで、バーコードシンボルを生成する（ステップＳ１０８）。
【００３７】
表示制御部１７は、保守用ディスプレイ１１にバーコードシンボルの表示を開始させる（ステップＳ１０９）。表示制御部１７は、ステップＳ１０９の処理から一定時間が経過したか否かを判定する（ステップＳ１１０）。ステップＳ１１０で一定時間が経過していないと判定された場合、表示制御部１７は、ステップＳ１１０の処理を繰り返す。ステップＳ１１０で一定時間が経過したと判定された場合、表示制御部１７は、保守用ディスプレイ１１にバーコードシンボルの表示を終了させる（ステップＳ１１１）。
【００３８】
実施の形態１において、情報生成部１６は、エレベーターを特定する現場情報及び一時的に有効なＩＤコードを含む保守履歴情報を格納したバーコードシンボルを生成する。表示制御部１７は、判定部１４によりエレベーターの運転モードがメンテナンスモードでなくなったと判定された際に、情報生成部１６により生成されたバーコードシンボルをエレベーターに設けられた表示部６に表示させる。保守用端末８は、情報生成部１６により生成されたバーコードシンボルを読み取ることで当該バーコードシンボルに格納されている情報を取得する。情報センター９は、保守用端末８が取得したＩＤコードを照合する。つまり、実施の形態１によれば、ＩＤコードを含んだ正規の保守履歴情報を得るためには、表示部６に表示されたバーコードシンボルを読み取る必要がある。このため、保守作業者は、実際に保守作業の対象となる現場を訪問しない限り、保守履歴情報を得ることができない。その結果、エレベーターの保守作業が実施されたことを証明することができる。
【００３９】
実施の形態１において、ＩＤコードが情報生成部１６によって生成される場合、情報生成部１６は、例えば、予め設定された一定期間ごとにＩＤコードを更新する。ＩＤコードが情報センター９によって生成される場合、情報センター９は、例えば、予め設定された一定期間ごとに、更新されたＩＤコードを情報生成部１６に送信する。この場合、情報生成部１６は、情報センター９から受信したＩＤコードのうち最も新しいものを格納したバーコードシンボルを生成する。このため、実施の形態１によれば、保守履歴情報に含まれるＩＤコードに基づいて、保守作業が実施された時期を特定できる。その結果、エレベーターの保守作業が予定通りに実施されたことを証明することができる。
【００４０】
実施の形態１において、情報生成部１６は、エレベーターの運転モードがメンテナンスモードである間に行われたエレベーターの動作に基づく作業内容情報を含む保守履歴情報を格納したバーコードシンボルを生成する。保守用端末８は、情報生成部１６により生成されたバーコードシンボルを読み取ることで取得した情報のうち、作業内容情報を編集する機能を有する。保守用端末８は、情報生成部１６により生成されたバーコードシンボルを読み取ることで取得した情報のうち、作業内容情報でないものを編集する機能を有しない。このため、実施の形態１によれば、保守作業者は、推定された作業内容のうち誤っている部分を修正するだけで、正確な作業内容を情報センター９に登録することができる。その結果、作業内容を記録し忘れることを防止するとともに、保守作業者の負担を軽減できる。また、実施の形態１によれば、保守作業者は、作業内容情報以外を編集することができない。その結果、例えば、現場情報及びＩＤコード等が変更されることを防止できる。
【００４１】
実施の形態１において、一時的に有効な識別情報は、例えば、エレベーターの運転モードがメンテナンスモードでなくなるたびに更新されてもよい。つまり、エレベーターの保守作業が実施されるたびにＩＤコードが更新されてもよい。この場合、ＩＤコードは、例えば、保守作業の実施日を示す情報に基づいて自動生成されてもよい。ＩＤコードが情報センター９によって生成される場合、情報センター９は、例えば、制御装置７又は保守用端末８から受信した情報に基づいて運転モードがメンテナンスモードから切り替わったことを検出した際に、更新されたＩＤコードを情報生成部１６に送信する。ＩＤコードが情報生成部１６によって生成される場合、情報生成部１６は、例えば、運転モードがメンテナンスモードから切り替わった際にＩＤコードを更新する。
【００４２】
実施の形態１において、表示部６及び制御装置７は複数の機器で構成されている。しかしながら、表示部６は、製品ディスプレイ１０と保守用ディスプレイ１１とが一体に形成されたものでもよい。また、制御装置７は、制御盤１２と保守用機器１３とが一体に形成されたものでもよい。これらの場合であっても、表示部６及び制御装置７が上述した各部の機能を有していれば、同様の効果が得られる。
【００４３】
実施の形態１における保守用システムは、エレベーター以外の昇降機に適用してもよい。保守用システムは、例えば、保守用機器１３及び保守用ディスプレイ１１に相当する構成を備えていれば、エスカレーターに適用してもよい。
【００４４】
実施の形態１においては、運転モードがメンテナンスモードであるか否かの判定を判定部１４が行うものとしたが、この判定を保守動作状態記憶部１５又は情報生成部１６で行うものとしてもよい。これらの場合、保守用機器１３は、判定部１４を備えていなくともよい。
【符号の説明】
【００４５】
１  かご
２  釣合おもり
３  巻上機
４  ロープ
５  昇降路
６  表示部
７  制御装置
８  保守用端末
８ａ  表示画面
９  情報センター
１０  製品ディスプレイ
１１  保守用ディスプレイ
１２  制御盤
１３  保守用機器
１４  判定部
１５  保守動作状態記憶部
１６  情報生成部
１７  表示制御部
【図１】
0006439673.tif 000002
【図２】
0006439673.tif 000003
【図３】
0006439673.tif 000004
【図４】
0006439673.tif 000005